(57)【要約】【課題】製造コストの増大を抑制しつつ種々の患者に対応可能なエアトラップチャンバ及びそれを備えた血液浄化装置を提供する。【解決手段】患者の血液を体外循環させる動脈側血液回路１ａ及び静脈側血液回路１ｂのそれぞれの途中に接続され、当該動脈側血液回路１ａ及び静脈側血液回路１ｂを流れる血液を通過させ得る収容空間が内部に形成されたエアトラップチャンバにおいて、動脈側血液回路１ａに接続される動脈側チャンバ４、及び静脈側血液回路１ｂに接続される静脈側チャンバ５のそれぞれに一体形成され、互いに嵌合して当該動脈側チャンバ４と静脈側チャンバ５とを一体化し得る嵌合部１１、１２を有したものである。【選択図】図２
2010263974.tif 000002
【特許請求の範囲】
【請求項１】
患者の血液を体外循環させる動脈側血液回路及び静脈側血液回路のそれぞれの途中に接続され、当該動脈側血液回路及び静脈側血液回路を流れる血液を通過させ得る収容空間が内部に形成されたエアトラップチャンバにおいて、
動脈側血液回路に接続される動脈側チャンバ、及び静脈側血液回路に接続される静脈側チャンバのそれぞれに一体形成され、互いに嵌合して当該動脈側チャンバと静脈側チャンバとを一体化し得る嵌合部を有したことを特徴とするエアトラップチャンバ。
【請求項２】
前記嵌合部は、前記動脈側チャンバ及び静脈側チャンバのそれぞれに形成された一対の凹形状及び凸形状から成り、当該動脈側チャンバの凹形状に静脈側チャンバの凸形状が嵌合しつつ静脈側チャンバの凹形状に動脈側チャンバの凸形状が嵌合し得ることを特徴とする請求項１記載のエアトラップチャンバ。
【請求項３】
前記嵌合部は、嵌合及び嵌合の解除が自在とされたことを特徴とする請求項１又は請求項２記載のエアトラップチャンバ。
【請求項４】
前記動脈側チャンバ及び静脈側チャンバは、上部に位置するチャンバキャップと、該チャンバキャップに取り付けられて下部に位置する本体部とを組み付けて構成されるとともに、当該チャンバキャップ又は本体部に前記嵌合部が形成されたことを特徴とする請求項１又は請求項２記載のエアトラップチャンバ。
【請求項５】
前記嵌合部は、互いに嵌合して前記動脈側チャンバと静脈側チャンバとを一体化した状態で係止可能な係止部を有したことを特徴とする請求項１〜４の何れか１つに記載のエアトラップチャンバ。
【請求項６】
前記嵌合部は、互いに嵌合して前記動脈側チャンバと静脈側チャンバとを一体化した状態で当該動脈側チャンバと静脈側チャンバとの相対的ずれを防止する当接面を有したことを特徴とする請求項１〜５の何れか１つに記載のエアトラップチャンバ。
【請求項７】
請求項１〜６の何れか１つのエアトラップチャンバを具備したことを特徴とする血液浄化装置。
【発明の詳細な説明】
【技術分野】
【０００１】
本発明は、患者の血液を体外循環させる動脈側血液回路及び静脈側血液回路のそれぞれの途中に接続され、当該動脈側血液回路及び静脈側血液回路を流れる血液を通過させ得る収容空間が内部に形成されたエアトラップチャンバ及びそれを備えた血液浄化装置に関するものである。
【背景技術】
【０００２】
一般に、透析治療時においては、採取した患者の血液を体外循環させて再び体内に戻すための血液回路が用いられており、かかる血液回路は、ダイアライザ上流側の動脈側血液回路及びダイアライザ下流側の静脈側血液回路から主に構成されている。動脈側血液回路及び静脈側血液回路の途中には、体外循環中の血液の除泡を図るための動脈側チャンバ及び静脈側チャンバがそれぞれ接続されている。
【０００３】
然るに、透析装置本体に対する血液回路の取付作業（セッティング）を正確且つ容易に行わせるべく、従来より、動脈側チャンバと静脈側チャンバとを一体成形したものが提案されている（例えば、特許文献１参照）。かかるエアトラップチャンバは、動脈側チャンバ及び静脈側チャンバが一体成形されているので、これらを一体として取り扱わせることができ、透析装置本体に対する血液回路のセッティングを正確且つ容易に行わせることができる。
【先行技術文献】
【特許文献】
【０００４】
【特許文献１】特開平７−１９４６９６号公報
【発明の概要】
【発明が解決しようとする課題】
【０００５】
しかしながら、上記従来のエアトラップチャンバにおいては、以下の如き問題があった。即ち、エアトラップチャンバは、患者の容態や体格或いは治療条件、治療方法に応じて多種多様のものを選択して使用する必要があるため、上記従来の如き一体成形されたエアトラップチャンバにおいては、種々の患者に対応させるべく多種多様のものを予め複数用意しておく必要があった。その場合、一体成形のための成形金型が多数必要となることから、製造コストが嵩んでしまう。
【０００６】
また、従来の如く、動脈側チャンバと静脈側チャンバとをそれぞれ別個に成形し、それらを連結して一体化するための連結手段を具備させ、当該連結手段にて連結された動脈側チャンバ及び静脈側チャンバを透析装置本体にセッティングさせることも考えられるが、その場合、連結手段が別個必要となって部品点数が増大することから、その分だけ製造コストが嵩んでしまうという不具合がある。
【０００７】
本発明は、このような事情に鑑みてなされたもので、製造コストの増大を抑制しつつ種々の患者に対応可能なエアトラップチャンバ及びそれを備えた血液浄化装置を提供することにある。
【課題を解決するための手段】
【０００８】
請求項１記載の発明は、患者の血液を体外循環させる動脈側血液回路及び静脈側血液回路のそれぞれの途中に接続され、当該動脈側血液回路及び静脈側血液回路を流れる血液を通過させ得る収容空間が内部に形成されたエアトラップチャンバにおいて、動脈側血液回路に接続される動脈側チャンバ、及び静脈側血液回路に接続される静脈側チャンバのそれぞれに一体形成され、互いに嵌合して当該動脈側チャンバと静脈側チャンバとを一体化し得る嵌合部を有したことを特徴とする。
【０００９】
請求項２記載の発明は、請求項１記載のエアトラップチャンバにおいて、前記嵌合部は、前記動脈側チャンバ及び静脈側チャンバのそれぞれに形成された一対の凹形状及び凸形状から成り、当該動脈側チャンバの凹形状に静脈側チャンバの凸形状が嵌合しつつ静脈側チャンバの凹形状に動脈側チャンバの凸形状が嵌合し得ることを特徴とする。
【００１０】
請求項３記載の発明は、請求項１又は請求項２記載のエアトラップチャンバにおいて、前記嵌合部は、嵌合及び嵌合の解除が自在とされたことを特徴とする。
【００１１】
請求項４記載の発明は、請求項１又は請求項２記載のエアトラップチャンバにおいて、前記動脈側チャンバ及び静脈側チャンバは、上部に位置するチャンバキャップと、該チャンバキャップに取り付けられて下部に位置する本体部とを組み付けて構成されるとともに、当該チャンバキャップ又は本体部に前記嵌合部が形成されたことを特徴とする。
【００１２】
請求項５記載の発明は、請求項１〜４の何れか１つに記載のエアトラップチャンバにおいて、前記嵌合部は、互いに嵌合して前記動脈側チャンバと静脈側チャンバとを一体化した状態で係止可能な係止部を有したことを特徴とする。
【００１３】
請求項６記載の発明は、請求項１〜５の何れか１つに記載のエアトラップチャンバにおいて、前記嵌合部は、互いに嵌合して前記動脈側チャンバと静脈側チャンバとを一体化した状態で当該動脈側チャンバと静脈側チャンバとの相対的ずれを防止する当接面を有したことを特徴とする。
【００１４】
請求項７記載の発明は、請求項１〜６の何れか１つのエアトラップチャンバを具備したことを特徴とする血液浄化装置である。
【発明の効果】
【００１５】
請求項１の発明によれば、動脈側血液回路に接続される動脈側チャンバ、及び静脈側血液回路に接続される静脈側チャンバのそれぞれに一体形成され、互いに嵌合して当該動脈側チャンバと静脈側チャンバとを一体化し得る嵌合部を有したので、製造コストの増大を抑制しつつ種々の患者に対応可能とすることができる。更に、嵌合部の嵌合によって動脈側チャンバと静脈側チャンバとを一体化させるので、これら動脈側チャンバと静脈側チャンバとを互いに位置決めしつつ連結させることができる。
【００１６】
請求項２の発明によれば、嵌合部は、動脈側チャンバ及び静脈側チャンバのそれぞれに形成された一対の凹形状及び凸形状から成り、当該動脈側チャンバの凹形状に静脈側チャンバの凸形状が嵌合しつつ静脈側チャンバの凹形状に動脈側チャンバの凸形状が嵌合し得るので、動脈側チャンバ及び静脈側チャンバの何れか一方に凸形状のみが形成され、他方に凹形状のみが形成されたものに比べ、一体化させるべき動脈側チャンバ及び静脈側チャンバの組み合わせの選択範囲が広がる。
【００１７】
請求項３の発明によれば、嵌合部は、嵌合及び嵌合の解除が自在とされたので、嵌合部を一旦嵌合させた後に再びその嵌合を解除して取り外し、動脈側チャンバ及び静脈側チャンバの組み合わせを変更して一体化させることができる。
【００１８】
請求項４の発明によれば、動脈側チャンバ及び静脈側チャンバは、上部に位置するチャンバキャップと、該チャンバキャップに取り付けられて下部に位置する本体部とを組み付けて構成されるとともに、当該チャンバキャップ又は本体部に嵌合部が形成されたので、チャンバキャップと本体部との組み合わせを種々変更することにより、更に種々の患者に対応させることができる。
【００１９】
請求項５の発明によれば、嵌合部は、互いに嵌合して動脈側チャンバと静脈側チャンバとを一体化した状態で係止可能な係止部を有したので、当該嵌合部の嵌合状態を強固に保持させることができ、動脈側チャンバと静脈側チャンバとの一体化を強固に維持させることができる。また、係止部の係止により、嵌合部が嵌合したときのクリック感（節度）を持たせることができ、嵌合部の嵌合不良を回避させることができる。
【００２０】
請求項６の発明によれば、嵌合部は、互いに嵌合して動脈側チャンバと静脈側チャンバとを一体化した状態で当該動脈側チャンバと静脈側チャンバとの相対的ずれを防止する当接面を有したので、動脈側チャンバと静脈側チャンバとを互いに位置決めしつつ連結させることができるとともに、連結状態から上下方向又は左右方向に動脈側チャンバと静脈側チャンバとが相対的にずれてしまうのを確実に防止することができる。
【００２１】
請求項７の発明によれば、請求項１〜６記載の発明の効果を奏し得る血液浄化装置を提供することができる。
【図面の簡単な説明】
【００２２】
【図１】本発明の実施形態に係るエアトラップチャンバが適用される血液回路及び血液回路に接続されるダイアライザ等を示す透析装置（血液浄化装置）の全体模式図
【図２】本発明の第１の実施形態に係るエアトラップチャンバ（連結前）を示す斜視図
【図３】同エアトラップチャンバ（連結前）の嵌合部を示す上面図
【図４】同エアトラップチャンバ（連結後）を示す斜視図
【図５】同エアトラップチャンバ（連結後）の嵌合部を示す上面図
【図６】同エアトラップチャンバが透析装置本体に取り付けられた状態を示す模式図
【図７】同エアトラップチャンバが透析装置本体に取り付けられた他の形態の状態を示す模式図
【図８】同エアトラップチャンバが他の組み合わせで連結されて一体化された状態を示す斜視図
【図９】本発明の第２の実施形態に係るエアトラップチャンバ（連結前）を示す斜視図
【図１０】同エアトラップチャンバ（連結前）の嵌合部を示す上面図
【図１１】同エアトラップチャンバ（連結後）を示す斜視図
【図１２】同エアトラップチャンバ（連結後）の嵌合部を示す上面図
【図１３】同エアトラップチャンバ（連結前）の嵌合部を示す拡大図
【図１４】本発明の第３の実施形態に係るエアトラップチャンバ（連結前）を示す斜視図
【図１５】同エアトラップチャンバ（連結前）の嵌合部を示す上面図
【図１６】同エアトラップチャンバ（連結後）を示す斜視図
【図１７】同エアトラップチャンバ（連結後）の嵌合部を示す上面図
【図１８】同エアトラップチャンバ（連結前）の嵌合部を示す拡大図
【発明を実施するための形態】
【００２３】
以下、本発明の実施形態について図面を参照しながら具体的に説明する。
本実施形態に係るエアトラップチャンバは、透析治療時に用いられる血液回路の途中に接続されたもので、当該血液回路は、血液流路を構成する可撓性チューブから成り、患者の血液を体外循環させ得るものである。本エアトラップチャンバが適用される血液回路は、図１に示すように、先端にコネクタ７を介して動脈側穿刺針ａが接続された動脈側血液回路１ａと、先端にコネクタ８を介して静脈側穿刺針ｂが接続された静脈側血液回路１ｂとから主に構成されており、これら動脈側血液回路１ａ及び静脈側血液回路１ｂの基端がダイアライザ２（血液浄化器）の血液導入口２ｃ及び血液導出口２ｄにそれぞれ接続され得るよう構成されている。
【００２４】
ダイアライザ２は、略円筒状の筒体における両側面に血液導入口２ｃ及び血液導出口２ｄが形成されるとともに、側面に透析液導入口２ｅ及び透析液導出口２ｆが形成されたものである。筐体内には複数の中空糸膜（血液浄化膜）が配設されており、該中空糸膜内部が血液導入口２ｃ及び血液導出口２ｄを連通して、血液回路１中を流れる血液を流通させ得る血液流路２ａを成している一方、中空糸膜の外周面と筐体内周壁との間の空間が透析液導入口２ｅ及び透析液導出口２ｆを連通して、透析装置本体６から供給された透析液を流通させ得る透析液流路２ｂを成している。
【００２５】
また、中空糸膜には複数の微少孔が形成されているため、血液が血液流路２ａを通過し、透析液が透析液流路２ｂを通過する際、当該中空糸膜を介して血液中の不要物（老廃物）が透析液側に透析除去することができるよう構成されている。尚、透析液導入口２ｅ及び透析液導出口２ｆは、それぞれ透析液導入ラインＬ１及び透析液排出ラインＬ２を介して透析装置本体６と接続されており、所望濃度に調製された透析液をダイアライザ２内に導入し得るようになっている。
【００２６】
動脈側血液回路１ａの途中（即ち、血液回路１におけるダイアライザ２より上流側）には、他の部位より若干大きな内径で、且つ、軟質の樹脂から成る太径可撓性チューブが接続されており、該太径可撓性チューブにしごき型の血液ポンプ３が配設されている。即ち、血液ポンプ３は、太径可撓性チューブをしごきつつ回転駆動することにより、動脈側穿刺針ａから採取された患者の血液を、血液回路１及びダイアライザ２内で流通させ、静脈側穿刺針ｂから患者の体内に戻す作用を奏するものである。尚、血液ポンプ３は、図６、７に示すように、透析装置本体６に配設されている。
【００２７】
動脈側血液回路１ａの途中（即ち、血液回路１におけるダイアライザ２より上流側であって血液ポンプ３より下流側）には、除泡のための動脈側チャンバ４（エアトラップチャンバ）が接続されている。かかる動脈側チャンバ４は、図２に示すように、内部に所定容量の液体（血液やプライミング液等）を収容し得る収容空間Ｓ１を有した透明樹脂製のチャンバから成り、当該収容空間Ｓ１にて動脈側血液回路１ａを流れる血液を通過させ得るよう構成されている。
【００２８】
また、動脈側チャンバ４は、同図に示すように、上部に位置するチャンバキャップ４ａと、該チャンバキャップ４ａに取り付けられて下部に位置する本体部４ｂとを組み付けて構成されており、チャンバキャップ４ａにおいて患者の血液を収容空間Ｓ１内に導入する導入口Ｐ１が形成されるとともに、本体部４ｂにおいて収容空間Ｓ１内の血液をダイアライザ２側へ導出する導出口Ｐ２が形成されている。
【００２９】
本実施形態においては、導入口Ｐ１が側方（略水平方向）に延設されたもの（横流入タイプのもの）とされているが、上下に延設されたもの（上部流入タイプのもの）或いは側方に延設されつつ中心からオフセットしたもの（渦巻き流入タイプのもの）等、患者の状態や治療条件等を鑑み必要に応じて任意選択される。そして、例えば血液の流入液面を泡立たせたくない場合は、上部流入タイプ或いは渦巻き流入タイプのもの、収容空間Ｓ１内を回転流にして血液の滞留を減らしたい場合は、渦巻き流入タイプのものを選択することができる。
【００３０】
更に、動脈側チャンバ４のチャンバキャップ４ａ上部からは、収容空間Ｓ１と連通した接続口Ｑ１、Ｑ２が形成されており、これら接続口Ｑ１、Ｑ２に可撓性チューブから成る接続ライン９の基端が接続されている。接続ライン９は、例えば液面レベル調整ライン、圧モニタライン、薬剤注入ライン、補液ライン等から患者の状態や治療条件等を鑑み必要に応じて任意選択されたものから成る。
【００３１】
液面レベル調整ラインは、その先端にシリンジ等が接続され、該シリンジによって収容空間Ｓ１内における空気層への空気の挿入又は空気層からの空気の取り出しを可能とし、当該収容空間Ｓ１内における血液溜まりの液面レベルを調整するものである。圧モニタラインは、その先端に気体のみを通過させ得るエアフィルタを介して圧力計測手段（不図示）が接続され、透析治療中の患者の血圧を常時監視し得るものである。また、薬剤注入ラインは、透析治療中において体外循環する血液に所定の薬剤を注入するライン、補液ラインは、透析治療中に補液を注入するラインである。
【００３２】
然るに、収容空間Ｓ１内の圧力モニタ（監視）が必要な場合は、圧モニタラインを選択、収容空間Ｓ１内の液面レベルを頻繁に変更する場合は、液面レベル調整ラインを選択、薬剤や補液を注入する必要がある場合は、それぞれ薬剤注入ライン或いは補液ラインを選択して、接続口Ｑ１、Ｑ２に接続させることが可能とされている。また、血液回路１全体の内容量（プライミングボリウム）を低減させたい場合は、長手寸法（上下寸法）が比較的短い本体部４ｂをチャンバキャップ４ａに組み付け、反対にシングルニードルを用いる場合の如く収容空間Ｓ１の内容量を大きくしたい場合は、長手寸法（上下寸法）が比較的長い本体部４ｂをチャンバキャップ４ａに組み付けるよう選択することができる。
【００３３】
静脈側血液回路１ｂの途中（即ち、血液回路１におけるダイアライザ２より下流側）には、除泡のための静脈側チャンバ５（エアトラップチャンバ）が接続されている。かかる静脈側チャンバ５は、図２に示すように、内部に所定容量の液体（血液やプライミング液等）を収容し得る収容空間Ｓ２を有した透明樹脂製のチャンバから成り、当該収容空間Ｓ２にて動脈側血液回路１ｂを流れる血液を通過させ得るよう構成されている。
【００３４】
また、静脈側チャンバ５は、動脈側チャンバ４と同様、上部に位置するチャンバキャップ５ａと、該チャンバキャップ５ａに取り付けられて下部に位置する本体部５ｂとを組み付けて構成されており、チャンバキャップ５ａにおいて患者の血液を収容空間Ｓ２内に導入する導入口Ｐ３が形成されるとともに、本体部５ｂにおいて収容空間Ｓ２内の血液を静脈側穿刺針ｂ側へ導出する導出口Ｐ４が形成されている。
【００３５】
本実施形態においては、導入口Ｐ３が側方（略水平方向）に延設されたもの（横流入タイプのもの）とされているが、上下に延設されたもの（上部流入タイプのもの）或いは側方に延設されつつ中心からオフセットしたもの（渦巻き流入タイプのもの）等、患者の状態や治療条件等を鑑み必要に応じて任意選択される。そして、例えば血液の流入液面を泡立たせたくない場合は、上部流入タイプ或いは渦巻き流入タイプのもの、収容空間Ｓ２内を回転流にして血液の滞留を減らしたい場合は、渦巻き流入タイプのものを選択することができる。
【００３６】
更に、静脈側チャンバ５のチャンバキャップ５ａ上部からは、収容空間Ｓ２と連通した接続口Ｑ３、Ｑ４、Ｑ５が形成されており、これら接続口Ｑ３、Ｑ４、Ｑ５に可撓性チューブから成る接続ライン１０の基端が接続されている。接続ライン１０は、動脈側チャンバ４の接続ライン９と同様、例えば液面レベル調整ライン、圧モニタライン、薬剤注入ライン、補液ライン等から患者の状態や治療条件等を鑑み必要に応じて任意選択されたものから成る。これらラインについては上述した通りである。
【００３７】
然るに、収容空間Ｓ２内の圧力モニタ（監視）が必要な場合は、圧モニタラインを選択、収容空間Ｓ２内の液面レベルを頻繁に変更する場合は、液面レベル調整ラインを選択、薬剤や補液を注入する必要がある場合は、それぞれ薬剤注入ライン或いは補液ラインを選択して、接続口Ｑ３、Ｑ４、Ｑ５に接続させることが可能とされている。また、血液回路１全体の内容量（プライミングボリウム）を低減させたい場合は、長手寸法（上下寸法）が比較的短い本体部５ｂをチャンバキャップ５ａに組み付け、反対にシングルニードルを用いる場合の如く収容空間Ｓ２の内容量を大きくしたい場合は、長手寸法（上下寸法）が比較的長い本体部５ｂをチャンバキャップ５ａに組み付けるよう選択することができる。
【００３８】
尚、静脈側チャンバ５における収容空間Ｓ２の下部には、導出口Ｐ４を覆って配設されたろ過網Ｒが形成されている。このろ過網Ｒは、静脈側チャンバ５から導出される血液を濾過するためのものであり、血液回路１によって体外循環した血液を濾過した後、当該血液を患者の体内に戻し得るようになっている。尚、かかるろ過網Ｒとして種々のものを使用することができ、例えば溶着メッシュや成形メッシュ等から成るもの、適切な目開きとしたものとすることができる。
【００３９】
ここで、本実施形態においては、図２、３に示すように、動脈側血液回路１ａに接続される動脈側チャンバ４、及び静脈側血液回路１ｂに接続される静脈側チャンバ５のそれぞれに一体形成され、互いに嵌合して当該動脈側チャンバ４と静脈側チャンバ５とを一体化し得る嵌合部１１、１２を有している。かかる嵌合部１１、１２は、同図に示すように、動脈側チャンバ４及び静脈側チャンバ５のそれぞれに形成された一対の凹形状（１１ａ、１２ａ）及び凸形状（１１ｂ、１２ｂ）から成り、図４、５に示すように、当該動脈側チャンバ４の凹形状１１ａに静脈側チャンバ５の凸形状１２ｂが嵌合しつつ静脈側チャンバ５の凹形状１２ａに動脈側チャンバ４の凸形状１１ｂが嵌合し得るものである。
【００４０】
より具体的には、凹形状（１１ａ、１２ａ）及び凸形状（１１ｂ、１２ｂ）は、互いに隣接して形成されたものとされ、凹形状（１１ａ、１２ａ）は、動脈側チャンバ４及び静脈側チャンバ５から一体的に側方に突出した円環状部位の孔から成り、その内周面の径（内径）が凸形状（１１ｂ、１２ｂ）の外周面の径（外径）と略等しく形成されていることから、凹形状（１１ａ、１２ａ）に凸形状（１１ｂ、１２ｂ）を挿通させることにより嵌合可能とされているのである。尚、嵌合部１１、１２が互いに嵌合した状態において、図５に示すように、動脈側チャンバ４と静脈側チャンバ５との中心を結ぶ仮想線Ｌが嵌合部１１、１２の中央を通るよう構成されている。
【００４１】
而して、上記の如く嵌合部１１、１２が互いに嵌合して一体化された動脈側チャンバ４及び静脈側チャンバ５は、図６に示すように、透析装置本体６に対してクランプ手段１３にて固定され、セッティングされることとなる。この場合、クランプ手段１３は、静脈側チャンバ５のみをクランプして固定しているが、動脈側チャンバ４のみ固定、或いは動脈側チャンバ４及び静脈側チャンバ５の両方をクランプするよう構成してもよい。また、図７に示すように、動脈側チャンバ４及び静脈側チャンバ５からそれぞれ延設された接続ライン９、１０をクランプ手段１３’にてそれぞれクランプすることにより、一体化された動脈側チャンバ４及び静脈側チャンバ５を透析装置本体６に対してセッティングするよう構成してもよい。
【００４２】
上記実施形態によれば、互いに嵌合して動脈側チャンバ４と静脈側チャンバ５とを一体化し得る嵌合部１１、１２が当該動脈側チャンバ４と静脈側チャンバ５とに一体形成されているので、一体化のための他の部品を別個必要とせず、製造コストの増大を抑制することができる。また、嵌合部１１、１２を嵌合させて一体化させるので、種々形態の動脈側チャンバ４及び静脈側チャンバ５にそれぞれ嵌合部１１、１２を形成するようにすれば、種々の患者に対応可能とすることができる。例えば、図８に示すように、上記した接続口Ｑ１、Ｑ２を有した動脈側チャンバ４に代え、当該接続口を３つ有した動脈側チャンバ４（接続口が１つ或いは４つ以上、又は接続口がないものであってもよい）を選択し、静脈側チャンバ５と一体化させるようにしてもよい。
【００４３】
更に、嵌合部１１、１２の嵌合によって動脈側チャンバ４と静脈側チャンバ５とを一体化させるので、これら動脈側チャンバ４と静脈側チャンバ５とを互いに位置決めしつつ連結させることができる。特に、本実施形態によれば、動脈側チャンバ４と静脈側チャンバ５とを区別することなく使用させることができるので、部品点数や在庫を増やすことなく種々の患者に容易に対応可能とすることができる。
【００４４】
また更に、嵌合部１１、１２は、動脈側チャンバ４及び静脈側チャンバ５のそれぞれに形成された一対の凹形状（１１ａ、１２ａ）及び凸形状（１１ｂ、１２ｂ）から成り、当該動脈側チャンバ４の凹形状１１ａに静脈側チャンバ５の凸形状１２ｂが嵌合しつつ静脈側チャンバ５の凹形状１２ａに動脈側チャンバ４の凸形状１１ｂが嵌合し得るので、動脈側チャンバ４及び静脈側チャンバ５の何れか一方に凸形状のみが形成され、他方に凹形状のみが形成されたものに比べ、一体化させるべき組み合わせの選択範囲が広がる。
【００４５】
また、本実施形態に係る嵌合部１１、１２は、嵌合及び嵌合の解除が自在とされている。これにより、嵌合部１１、１２を一旦嵌合させた後に再びその嵌合を解除して取り外し、動脈側チャンバ４及び静脈側チャンバ５の組み合わせを変更して一体化させることができる。尚、嵌合部１１、１２を嵌合させて一体化させた状態の動脈側チャンバ４及び静脈側チャンバ５の凹形状（１１ａ、１２ａ）及び凸形状（１１ｂ、１２ｂ）の嵌合部位が強固に固定されるよう、嵌合部位に予め接着剤等を塗布した後、嵌合する構成としてもよい。また、別の方法として、蒸気滅菌時の熱によって発生する嵌合部位の膠着現象を利用する構成としてもよい。これら強固に固定する方法は、単独でも重複して行っても問題ない。
【００４６】
更に、動脈側チャンバ４及び静脈側チャンバ５は、上部に位置するチャンバキャップ（４ａ、５ａ）と、該チャンバキャップ（４ａ、５ａ）に取り付けられて下部に位置する本体部（４ｂ、５ｂ）とを組み付けて構成されるとともに、当該チャンバキャップ（４ａ、５ａ）に嵌合部１１、１２が形成されたので、チャンバキャップ（４ａ、５ａ）と本体部（４ｂ、５ｂ）との組み合わせを種々変更することにより、更に種々の患者に対応させることができる。尚、本体部（４ｂ、５ｂ）に嵌合部１１、１２を形成するもの、或いはチャンバキャップ（４ａ、５ａ）及び本体部（４ｂ、５ｂ）の双方に嵌合部１１、１２を形成するものであってもよい。
【００４７】
次に、本発明の第２の実施形態について説明する。
本実施形態に係るエアトラップチャンバは、第１の実施形態と同様、透析治療時に用いられる血液回路の途中に接続されたもので、当該血液回路は、血液流路を構成する可撓性チューブから成り、患者の血液を体外循環させ得るものである。尚、適用される血液回路１等については、第１の実施形態と同様（図１を参照）であり、その詳細な説明を省略するとともに、エアトラップチャンバについても同様の構成要素には同一の符号を付し、その詳細な説明を省略する。
【００４８】
本エアトラップチャンバは、図９、１０に示すように、動脈側血液回路１ａに接続される動脈側チャンバ４、及び静脈側血液回路１ｂに接続される静脈側チャンバ５のそれぞれに一体形成され、互いに嵌合して当該動脈側チャンバ４と静脈側チャンバ５とを一体化し得る嵌合部１４、１５を有している。かかる嵌合部１４、１５は、同図に示すように、動脈側チャンバ４及び静脈側チャンバ５のそれぞれに形成された一対の突出部にて構成されている。
【００４９】
具体的には、一対の突出部は、所定寸法離間しつつ側方へ一体的に突出形成されており、その突出部の間隙部から成る凹形状（１４ａ、１５ａ）と、一方の突出部から成る凸形状（１４ｂ、１５ｂ）とを有しており、図１１、１２に示すように、当該動脈側チャンバ４の凹形状１４ａに静脈側チャンバ５の凸形状１５ｂが嵌合しつつ静脈側チャンバ５の凹形状１５ａに動脈側チャンバ４の凸形状１４ｂが嵌合し得るよう構成されている。
【００５０】
また、本実施形態における嵌合部１４、１５においては、凸形状（１４ｂ、１５ｂ）の先端近傍に係止部１４ｃ、１５ｃが形成されている。かかる係止部１４ｃ、１５ｃは、図１１、１２に示すように、嵌合部１４、１５が互いに嵌合して動脈側チャンバ４と静脈側チャンバ５とを一体化した状態で係止可能とされた爪形状から成るものである。これにより、嵌合部１４、１５の嵌合状態を強固に保持させることができ、動脈側チャンバ４と静脈側チャンバ５との一体化を強固に維持させることができる。また、係止部１４ｃ、１５ｃの係止により、嵌合部１４、１５が嵌合したときのクリック感（節度）を持たせることができ、嵌合部１４、１５の嵌合不良を回避させることができる。
【００５１】
更に、本実施形態における嵌合部１４、１５においては、図１３に示すように、凹形状１４ａ、１５ａの下方の位置に当接面１４ｄ（嵌合部１５においても同様に当接面１５ｄ）が形成されている。かかる当接面１４ｄ、１５ｄは、図１１、１２に示すように、嵌合部１４、１５が互いに嵌合して動脈側チャンバ４と静脈側チャンバ５とを一体化した状態で当該動脈側チャンバ４と静脈側チャンバ５との相対的ずれ（本実施形態においては上下方向の相対的ずれ）を防止するものである。
【００５２】
即ち、嵌合部１４、１５が互いに嵌合して動脈側チャンバ４と静脈側チャンバ５とを一体化した状態においては、動脈側チャンバ４の凸形状１４ｂ下面が静脈側チャンバ５の当接面１５ｄと当接するとともに、静脈側チャンバ５の凸形状１５ｂ下面が動脈側チャンバ４の当接面１４ｄと当接するよう構成されており、動脈側チャンバ４と静脈側チャンバ５との相対的ずれを防止し得るようになっているのである。これにより、動脈側チャンバ４と静脈側チャンバ５とを互いに位置決めしつつ連結させることができるとともに、連結状態から上下方向に動脈側チャンバ４と静脈側チャンバ５とが相対的にずれてしまうのを確実に防止することができる。
【００５３】
尚、本実施形態においては、当接面１４ｄ、１５ｄは、動脈側チャンバ４と静脈側チャンバ５とが上下方向に相対的にずれてしまうのを防止するものであるが、当該動脈側チャンバ４と静脈側チャンバ５とが左右方向に相対的にずれてしまうのを防止するものとしてもよい。また、本実施形態においては、当接面１４ｄ、１５ｄが凹形状１４ａ、１５ａの下方に位置しているが、当該凹形状１４ａ１５ａの上方に位置する当接面（即ち、嵌合状態において、凸形状１４ｂ、１５ｂの上面と当接する天井面）としてもよい。
【００５４】
次に、本発明の第３の実施形態について説明する。
本実施形態に係るエアトラップチャンバは、第１、２の実施形態と同様、透析治療時に用いられる血液回路の途中に接続されたもので、当該血液回路は、血液流路を構成する可撓性チューブから成り、患者の血液を体外循環させ得るものである。尚、適用される血液回路１等については、第１の実施形態と同様（図１を参照）であり、その詳細な説明を省略するとともに、エアトラップチャンバについても同様の構成要素には同一の符号を付し、その詳細な説明を省略する。
【００５５】
本エアトラップチャンバは、図１４、１５に示すように、動脈側血液回路１ａに接続される動脈側チャンバ４、及び静脈側血液回路１ｂに接続される静脈側チャンバ５のそれぞれに一体形成され、互いに嵌合して当該動脈側チャンバ４と静脈側チャンバ５とを一体化し得る嵌合部１６、１７を有している。かかる嵌合部１６、１７は、同図に示すように、動脈側チャンバ４及び静脈側チャンバ５のそれぞれに形成された一対の突出部にて構成されている。
【００５６】
具体的には、一対の突出部は、所定寸法離間しつつ側方へ一体的に突出形成されており、その突出部の間隙部から成る凹形状（１６ａ、１７ａ）と、一方の突出部から成る凸形状（１６ｂ、１７ｂ）とを有しており、図１６、１７に示すように、当該動脈側チャンバ４の凹形状１６ａに静脈側チャンバ５の凸形状１７ｂが嵌合しつつ静脈側チャンバ５の凹形状１７ａに動脈側チャンバ４の凸形状１６ｂが嵌合し得るよう構成されている。
【００５７】
また、本実施形態における嵌合部１６、１７においては、凸部１６ｃ、１７ｃ及び凹部１６ｄ、１７ｄから成る係止部が形成されている。かかる係止部は、図１６、１７に示すように、嵌合部１６、１７が互いに嵌合して動脈側チャンバ４と静脈側チャンバ５とを一体化した状態で凹部１６ｄに凸部１７ｃが係止するとともに凹部１７ｄに凸部１６ｃが嵌り込んで係止可能とされている。これにより、嵌合部１６、１７の嵌合状態を強固に保持させることができ、動脈側チャンバ４と静脈側チャンバ５との一体化を強固に維持させることができる。また、凹部１６ｄに対する凸部１７ｃの係止及び凹部１７ｄに対する凸部１６ｃの係止により、嵌合部１６、１７が嵌合したときのクリック感（節度）を持たせることができ、嵌合部１６、１７の嵌合不良を回避させることができる。
【００５８】
更に、本実施形態における嵌合部１６、１７においては、図１８に示すように、凹形状１６ａ、１７ａの奥側下方及び上方の位置に当接面１６ｅ（嵌合部１７においても同様に当接面１７ｅ）が形成されている。かかる当接面１６ｅ、１７ｅは、図１６、１７に示すように、嵌合部１６、１７が互いに嵌合して動脈側チャンバ４と静脈側チャンバ５とを一体化した状態で当該動脈側チャンバ４と静脈側チャンバ５との相対的ずれ（本実施形態においては上下方向の相対的ずれ）を防止するものである。
【００５９】
即ち、嵌合部１６、１７が互いに嵌合して動脈側チャンバ４と静脈側チャンバ５とを一体化した状態においては、動脈側チャンバ４の凸形状１６ｂ上下面が静脈側チャンバ５の当接面１７ｅと当接するとともに、静脈側チャンバ５の凸形状１７ｂ上下面が動脈側チャンバ４の当接面１６ｅと当接するよう構成されており、動脈側チャンバ４と静脈側チャンバ５との相対的ずれを防止し得るようになっているのである。
【００６０】
これにより、動脈側チャンバ４と静脈側チャンバ５とを互いに位置決めしつつ連結させることができるとともに、連結状態から上下方向に動脈側チャンバ４と静脈側チャンバ５とが相対的にずれてしまうのを確実に防止することができる。尚、本実施形態においては、当接面１６ｅ、１７ｅに加えて、左右方向に位置する壁面が形成されており、動脈側チャンバ４と静脈側チャンバ５とが一体化された状態で当該動脈側チャンバ４と静脈側チャンバ５とが左右方向に相対的にずれてしまうのを防止することができる。
【００６１】
上記第１〜３の実施形態によれば、何れも動脈側チャンバ４及び静脈側チャンバ５のそれぞれに同一形状の嵌合部（凹形状及び凸形状）を形成しているので、当該動脈側チャンバ４の嵌合部と静脈側チャンバ５の嵌合部とを向き合わせることにより、凹形状と凸形状とが合致するようになっている。これにより、動脈側チャンバ４の凹形状に静脈側チャンバ５の凸形状が嵌合しつつ静脈側チャンバ５の凹形状に動脈側チャンバ４の凸形状が嵌合し得るよう構成されており、製造コストの増大を抑制しつつ種々の患者に容易に対応可能とすることができる。
【００６２】
以上、本実施形態について説明したが、本発明はこれらに限定されず、例えばチャンバキャップと本体部とが一体成形されたエアトラップチャンバに嵌合部を一体成形するようにしてもよい。嵌合部は、上記実施形態のものに限定されず、動脈側チャンバ及び静脈側チャンバのそれぞれに一体形成され、互いに嵌合して当該動脈側チャンバと静脈側チャンバとを一体化し得る他の形態のものとしてもよい。尚、本実施形態においては、透析治療に用いられる血液回路に適用されているが、他の体外循環回路等に接続されたエアトラップチャンバに適用することができる。
【産業上の利用可能性】
【００６３】
動脈側血液回路に接続される動脈側チャンバ及び静脈側血液回路に接続される静脈側チャンバのそれぞれに一体形成され、互いに嵌合して当該動脈側チャンバと静脈側チャンバとを一体化し得る嵌合部を有したエアトラップチャンバ及びそれを備えた血液浄化装置であれば、外観形状が異なるもの或いは他の機能が付加されたもの等にも適用することができる。
【符号の説明】
【００６４】
１  血液回路
１ａ  動脈側血液回路
１ｂ  静脈側血液回路
２  ダイアライザ
３  血液ポンプ
４  動脈側チャンバ（エアトラップチャンバ）
５  静脈側チャンバ（エアトラップチャンバ）
６  透析装置本体
７、８  コネクタ
９、１０  接続ライン
１１、１２  嵌合部
１１ａ、１２ａ  凹形状
１１ｂ、１２ｂ  凸形状
１３  クランプ手段
１４、１５  嵌合部
１４ａ、１５ａ  凹形状
１４ｂ、１５ｂ  凸形状
１４ｃ、１５ｃ  係止部
１４ｄ、１５ｄ  当接面
１６、１７  嵌合部
１６ａ、１７ａ  凹形状
１６ｂ、１７ｂ  凸形状
１６ｃ、１７ｃ  凸部（係止部）
１６ｄ、１７ｄ  凹部（係止部）
１６ｅ、１７ｅ  当接面
Ｓ１、Ｓ２  収容空間
【図１】
2010263974.tif 000003
【図２】
2010263974.tif 000004
【図３】
2010263974.tif 000005
【図４】
2010263974.tif 000006
【図５】
2010263974.tif 000007
【図６】
2010263974.tif 000008
【図７】
2010263974.tif 000009
【図８】
2010263974.tif 000010
【図９】
2010263974.tif 000011
【図１０】
2010263974.tif 000012
【図１１】
2010263974.tif 000013
【図１２】
2010263974.tif 000014
【図１３】
2010263974.tif 000015
【図１４】
2010263974.tif 000016
【図１５】
2010263974.tif 000017
【図１６】
2010263974.tif 000018
【図１７】
2010263974.tif 000019
【図１８】
2010263974.tif 000020